(57)【要約】【課題】建物を構成する床基礎、壁基礎及び天井基礎により区画された区画空間内に、床部、壁部及び天井部により区画された防音空間をもつ防音構造物を配置した独立構造となり、防音空間内の音源から発生する音が橋絡材を介して伝搬することが無くなり、防音性能、遮音性能を向上することができる。【解決手段】建物Ｗを構成する床基礎Ｗ１、壁基礎Ｗ２及び天井基礎Ｗ３により区画された区画空間Ｋ内に、床部Ｒ１、壁部Ｒ２及び天井部Ｒ３により区画された防音空間Ｓをもつ防音構造物Ｒを配置してなり、床部は床基礎上に緩衝材Ｆ１を介装した浮床構造Ｆが採用され、壁部は壁基礎に対して壁隙間Ｄを存して離隔すると共に壁隙間に橋絡材が存しない壁離隔構造Ｇが採用され、天井部は天井基礎に対して天井隙間Ｔを存して離隔すると共に天井隙間に橋絡材が存しない天井離隔構造Ｐが採用されてなる。【選択図】図１
2012097452.tif 000002
【特許請求の範囲】
【請求項１】
建物を構成する床基礎、壁基礎及び天井基礎により区画された区画空間内に、床部、壁部及び天井部により区画された防音空間をもつ防音構造物を配置してなり、上記床部は上記床基礎上に緩衝材を介装した浮床構造が採用され、上記壁部は上記壁基礎に対して壁隙間を存して離隔すると共に該壁隙間に橋絡材が存しない壁離隔構造が採用され、上記天井部は上記天井基礎に対して天井隙間を存して離隔すると共に該天井隙間に橋絡材が存しない天井離隔構造が採用されてなることを特徴とする建物の防音構造。
【請求項２】
上記防音構造物の壁部及び天井部の下地材として、軽量鉄骨下地材が採用されていることを特徴とする請求項１記載の建物の防音構造。
【請求項３】
上記軽量鉄骨下地材として、上記天井部に横架状に並列配置される軽量鉄骨材製の複数個のランナー及び軽量鉄骨製の複数個の野縁、上記壁部に縦架状に並列配置される軽量鉄骨材製の複数個のスタッドにより構成されていることを特徴とする請求項１又は２記載の建物の防音構造。
【請求項４】
上記建物及び上記防音構造物に窓やドアを施工するための開口部が設けられ、該開口部として、上記壁基礎に外側開口部を形成すると共に上記壁部に内側開口部を形成し、該壁基礎の外側開口部に建具枠を介して外側建具を配置し、該壁部の内側開口部に建具枠を介して内側建具を配置してなることを特徴とする請求項１〜３のいずれか１項に記載の建物の防音構造。
【請求項５】
上記開口部が外窓用開口部である場合において、上記外側及び内側の建具枠間に雨仕舞構造を採用してなることを特徴とする請求項４記載の建物の防音構造。
【請求項６】
上記請求項１〜５のいずれか１項に記載の建物の防音構造を備えてなることを特徴とする建物。
【発明の詳細な説明】
【技術分野】
【０００１】
本発明は、例えば、隣接階や上下階間の居室生活音の遮断対策、或いは、録音スタジオや音楽ホールの遮音対策に用いられる建物の防音構造及びその建物に関するものである。
【背景技術】
【０００２】
従来、この種の防音構造として、建物を構成する床基礎、壁基礎及び天井基礎により区画された区画空間内に、床部、壁部及び天井部により区画された防音空間をもつ防音構造物を配置し、床基礎と床部の間、壁基礎と壁部との間及び天井基礎と天井部との間に隙間を形成し、この各々の隙間に防振部材を配置したり、天井基礎と天井部との間に吊りボルトや防振ハンガーなどの連結材を掛架したりしてなる構造が提案されている。
【先行技術文献】
【特許文献】
【０００３】
【特許文献１】特許第３９８１５５２号公報
【特許文献２】実開昭５３−１５３３１６号公報
【発明の概要】
【発明が解決しようとする課題】
【０００４】
しかしながら、これら従来構造の場合、防振部材や連結材などの橋絡材が存在することにより、防音空間内の音源から発生する音が橋絡材を介して伝搬し、このため、必ずしも、防音性能、遮音性能について、満足する結果が得られないことがあるという不都合を有している。
【課題を解決するための手段】
【０００５】
本発明はこれらの不都合を解決することを目的とするもので、本発明のうちで、請求項１記載の発明は、建物を構成する床基礎、壁基礎及び天井基礎により区画された区画空間内に、床部、壁部及び天井部により区画された防音空間をもつ防音構造物を配置してなり、上記床部は上記床基礎上に緩衝材を介装した浮床構造が採用され、上記壁部は上記壁基礎に対して壁隙間を存して離隔すると共に該壁隙間に橋絡材が存しない壁離隔構造が採用され、上記天井部は上記天井基礎に対して天井隙間を存して離隔すると共に該天井隙間に橋絡材が存しない天井離隔構造が採用されてなることを特徴とする建物の防音構造にある。
【０００６】
又、請求項２記載の発明にあっては、上記防音構造物の壁部及び天井部の下地材として、軽量鉄骨下地材が採用されていることを特徴とするものであり、又、請求項３記載の発明は、上記軽量鉄骨下地材として、上記天井部に横架状に並列配置される軽量鉄骨材製の複数個のランナー及び軽量鉄骨製の複数個の野縁、上記壁部に縦架状に並列配置される軽量鉄骨材製の複数個のスタッドにより構成されていることを特徴とするものである。
【０００７】
又、請求項４記載の発明は、上記建物及び上記防音構造物に窓やドアを施工するための開口部が設けられ、該開口部として、上記壁基礎に外側開口部を形成すると共に上記壁部に内側開口部を形成し、該壁基礎の外側開口部に建具枠を介して外側建具を配置し、該壁部の内側開口部に建具枠を介して内側建具を配置してなることを特徴とするものであり、又、請求項５記載の発明は、上記開口部が外窓用開口部である場合において、上記外側及び内側の建具枠間に雨仕舞構造を採用してなることを特徴とするものである。
【０００８】
又、請求項６記載の発明は、上記請求項１〜５のいずれか１項に記載の建物の防音構造を備えてなることを特徴とする建物にある。
【発明の効果】
【０００９】
本発明は上述の如く、請求項１又は６記載の発明にあっては、建物を構成する床基礎、壁基礎及び天井基礎により区画された区画空間内に、床部、壁部及び天井部により区画された防音空間をもつ防音構造物を配置した独立構造となり、かつ、上記床部は上記床基礎上に緩衝材を介装した浮床構造が採用され、居住生活に伴う足踏音や音源設備などに依拠して床部から発生する防音空間から外部への音の伝搬を抑制することができ、また更に、上記壁部は上記壁基礎に対して壁隙間を存して離隔すると共に壁隙間に橋絡材が存しない壁離隔構造が採用され、更には、上記天井部は上記天井基礎に対して天井隙間を存して離隔すると共に天井隙間に橋絡材が存しない天井離隔構造が採用され、防振部材や連結材などの橋絡材が存在しないので、防音空間内の音源から発生する音が橋絡材を介して伝搬することが無くなり、それだけ、防音性能、遮音性能を向上することができる。
【００１０】
又、請求項２記載の発明にあっては、上記防音構造物の壁部及び天井部の下地材として、軽量鉄骨下地材が採用されているので、防音構造物を床基礎、壁基礎及び天井基礎により区画された区画空間内に容易に構築することができ、又、請求項３記載の発明にあっては、上記軽量鉄骨下地材として、上記天井部に横架状に並列配置される軽量鉄骨材製の複数個のランナー及び軽量鉄骨製の複数個の野縁、上記壁部に縦架状に並列配置される軽量鉄骨材製の複数個のスタッドにより構成されているから、防音構造物を区画空間内に一層容易に構築することができる。
【００１１】
又、請求項４記載の発明にあっては、上記建物及び防音構造物に窓やドアを施工するための開口部が設けられ、開口部として、上記壁基礎に外側開口部を形成すると共に上記壁部に内側開口部を形成し、壁基礎の外側開口部に建具枠を介して外側建具を配置し、壁部の内側開口部に建具枠を介して内側建具を配置してなるから、上記外側及び内側の建具枠間に建具隙間が形成されて建具枠及び建具が離隔された構造となり、建具枠及び建具間の音の伝搬を抑制することができ、又、請求項５記載の発明にあっては、上記開口部が外窓用開口部である場合において、上記外側及び内側の建具枠間に雨仕舞構造を採用しているから、建具枠及び建具間の音の伝搬を抑制することができると共に建具隙間の存在による風雨の浸入を防ぐことができる。
【図面の簡単な説明】
【００１２】
【図１】本発明の実施の形態例の部分縦断面図である。
【図２】本発明の実施の形態例の部分平断面図である。
【図３】本発明の実施の形態例の部分拡大縦断面図である。
【図４】本発明の実施の形態例の部分縦断面図である。
【図５】本発明実施の形態例の部分拡大縦断面図である。
【発明を実施するための形態】
【００１３】
図１乃至図５は本発明の実施の形態例を示し、Ｗは建物、この場合、コンクリート製の多層建物であって、図１の如く、床基礎Ｗ１（これを「床スラブ」ともいう。）、壁基礎Ｗ２及び天井基礎Ｗ３により構築され、この床基礎Ｗ１、壁基礎Ｗ２及び天井基礎Ｗ３により区画された複数個の区画空間Ｋが形成されている。
【００１４】
Ｒは防音構造物であって、図１、図２の如く、床部Ｒ１、壁部Ｒ２及び天井部Ｒ３により構築され、この床部Ｒ１、壁部Ｒ２及び天井部Ｒ３により区画された防音空間Ｓが形成され、この防音構造物Ｒは上記区画空間Ｋ内に配置されている。
【００１５】
この場合、図１の如く、上記床部Ｒ１は、上記床基礎Ｗ１上に緩衝材Ｆ１を介装する浮床構造Ｆが採用され、更にこの場合、図３の如く、床基礎Ｗ１上に緩衝材Ｆ１としての硬質グラスウールを配置し、この緩衝材Ｆ１上に防水シートＦ２としてのポリエチレンフィルムを配置し、防水シートＦ２上に網目状の鉄筋Ｆ３を配筋してコンクリートＦ４を打設し、コンクリートＦ４上にフローリングＦ５を配置した浮床構造を採用している。
【００１６】
又、この場合、図１、図２の如く、上記壁部Ｒ２は上記壁基礎Ｗ２に対して壁隙間Ｄを存して離隔すると共に壁隙間Ｄに橋絡材が存しない壁離隔構造Ｇが採用され、壁部Ｒ２の表面には壁紙などの内装材が施工されている。ここでいう橋絡材とは、例えば、上記壁部Ｒ２と上記壁基礎Ｗ２との間に配置可能な防振ゴムや連結材、支持材などを指している。
【００１７】
又、この場合、図１の如く、上記天井部Ｒ３は上記天井基礎Ｗ３に対して天井隙間Ｔを存して離隔すると共に天井隙間Ｔに橋絡材が存しない天井離隔構造Ｐが採用され、天井部Ｒ３の表面には天井紙などの内装材が施工されている。ここでいう橋絡材とは、例えば上記天井部Ｒ３と上記天井基礎Ｗ３との間に配置可能な防振ゴムや連結材、支持材、防振ハンガーなどを指している。
【００１８】
この場合、図１の如く、上記防音構造物Ｒの壁部Ｒ２及び天井部Ｒ３の下地材として、軽量鉄骨下地材Ｅが採用され、又、この場合、上記軽量鉄骨下地材Ｅとして、上記天井部Ｒ３に横架状に並列配置される軽量鉄骨材製の複数個のランナーＥＲ及び軽量鉄骨製の複数個の野縁ＥＮ、上記壁部Ｒ２に縦架状に並列配置される軽量鉄骨材製の複数個のスタッドＥＳにより構成されている。
【００１９】
又、この場合、図３、図４、図５の如く、上記建物Ｗ及び上記防音構造物Ｒに窓Ｑやドアを施工するための開口部Ｂが設けられ、この開口部Ｂとして、上記壁基礎Ｗ２に外側開口部ＢＯを形成すると共に上記壁部Ｒ２に内側開口部ＢＩを形成し、壁基礎Ｗ２の外側開口部ＢＯに建具枠Ｍを介して引戸Ｎをもつ外側建具ＭＯを配置し、壁部Ｒ２の内側開口部ＢＩに建具枠Ｍを介して引戸Ｎをもつ内側建具ＭＩを配置してなり、この場合、上記開口部Ｂが外窓用開口部となっており、上記外側及び内側の建具枠Ｍ・Ｍ間に形成された建具隙間Ｈに雨仕舞構造Ｃを採用し、雨仕舞構造Ｃとして建具隙間Ｈにグラスウールからなる隙間シーリングを施工する構造としている。
【００２０】
この実施の形態例は上記構成であるから、図１、図２の如く、建物を構成する床基礎Ｗ１、壁基礎Ｗ２及び天井基礎Ｗ３により区画された区画空間Ｋ内に、床部Ｒ１、壁部Ｒ２及び天井部Ｒ３により区画された防音空間Ｓをもつ防音構造物Ｒを配置した独立構造となり、かつ、図３の如く、上記床部Ｒ１は上記床基礎Ｗ１上に緩衝材Ｆ１を介装した浮床構造Ｆが採用され、居住生活に伴う足踏音や音源設備などに依拠して床部Ｒ１から発生する防音空間Ｓから外部への音の伝搬を抑制することができ、また更に、図１、図２の如く、上記壁部Ｒ２は上記壁基礎Ｗ２に対して壁隙間Ｄを存して離隔すると共に壁隙間Ｄに橋絡材が存しない壁離隔構造Ｇが採用され、更には、図１の如く、上記天井部Ｒ３は上記天井基礎Ｗ３に対して天井隙間Ｔを存して離隔すると共に天井隙間Ｔに橋絡材が存しない天井離隔構造Ｐが採用され、防振部材や連結材などの橋絡材が存在しないので、防音空間Ｓ内の音源から発生する音が橋絡材を介して伝搬することが無くなり、それだけ、防音性能、遮音性能を向上することができる。
【００２１】
この場合、上記防音構造物Ｒの壁部Ｒ２及び天井部Ｒ３の下地材として、軽量鉄骨下地材Ｅが採用されているので、防音構造物Ｒを床基礎Ｗ１、壁基礎Ｗ２及び天井基礎Ｗ３により区画された区画空間Ｋ内に容易に構築することができ、又、この場合、上記軽量鉄骨下地材Ｅとして、上記天井部Ｒ３に横架状に並列配置される軽量鉄骨材製の複数個のランナーＥＲ及び軽量鉄骨製の複数個の野縁ＥＮ、上記壁部Ｒ２に縦架状に並列配置される軽量鉄骨材製の複数個のスタッドＥＳにより構成されているから、防音構造物Ｒを区画空間Ｋ内に一層容易に構築することができる。
【００２２】
又、この場合、上記建物Ｗ及び防音構造物Ｒに窓やドアを施工するための開口部Ｂが設けられ、開口部Ｂとして、上記壁基礎Ｗ２に外側開口部ＢＯを形成すると共に上記壁部Ｒ２に内側開口部ＢＩを形成し、壁基礎Ｗ２の外側開口部ＢＯに建具枠Ｍを介して外側建具ＭＯを配置し、壁部Ｒ２の内側開口部ＢＩに建具枠Ｍを介して内側建具ＭＩを配置してなるから、上記外側及び内側の建具枠Ｍ・Ｍ間に建具隙間Ｈが形成されて建具枠及び建具が離隔された構造となり、各建具枠Ｍ・Ｍ及び建具ＭＯ・ＭＩ間の音の伝搬を抑制することができ、又、この場合、上記開口部Ｂが外窓用開口部である場合において、上記外側及び内側の建具枠Ｍ・Ｍ間に雨仕舞構造Ｃを採用しているから、各建具枠Ｍ・Ｍ及び建具ＭＯ・ＭＩ間の音の伝搬を抑制することができると共に建具隙間Ｈの存在による風雨の浸入を防ぐことができる。
【００２３】
尚、本発明は上記実施の形態例に限られるものではなく、建物Ｗの構造、防音構造物Ｒの構造、浮床構造Ｆ、壁離隔構造Ｇ、天井離隔構造Ｐ等の具体的構造等は適宜変更して設計施工されるものである。
【００２４】
以上、所期の目的を充分達成することができる。
【符号の説明】
【００２５】
Ｗ    建物
Ｗ１    床基礎
Ｗ２    壁基礎
Ｗ３    天井基礎
Ｒ    防音構造物
Ｒ１    床部
Ｒ２    壁部
Ｒ３    天井部
Ｆ    浮床構造
Ｋ    区画空間
Ｓ    防音空間
Ｆ１    緩衝材
Ｄ    壁隙間
Ｇ    壁離隔構造
Ｔ    天井隙間
Ｐ    天井離隔構造
Ｅ    軽量鉄骨下地材
ＥＲ    ランナー
ＥＳ    スタッド
Ｂ    開口部
ＢＯ    外側開口部
Ｍ    建具枠
ＭＯ    外側建具
ＢＩ    内側開口部
ＭＩ    内側建具
Ｃ    雨仕舞構造
Ｈ    建具隙間
【図１】
2012097452.tif 000003
【図２】
2012097452.tif 000004
【図３】
2012097452.tif 000005
【図４】
2012097452.tif 000006
【図５】
2012097452.tif 000007